(57)【要約】【課題】床面の一部分に長時間にわたって殺菌光線を照射することを防止し、床面の劣化や変色等を防止することができる吸込口体を提供すること。【解決手段】本体ケース（本体）２１の底面２１Ｃに開口する吸込室２２と、殺菌作用を有する殺菌光線を照射する光線照射装置３０とが設けられた吸込口体２０であって、本体ケース２１には、床面Ｍに対して相対的に移動したことを検知する検知手段４０が設けられ、光線照射装置３０は、検知手段４０の検出状態に応じて作動する。【選択図】  図２
2004344335.tif 000002
【特許請求の範囲】
【請求項１】
本体の底面に開口する吸込室と、殺菌作用を有する殺菌光線を照射する光線照射装置とが設けられた吸込口体であって、
前記本体には、前記床面に対して相対的に移動したことを検知する検知手段が設けられ、前記光線照射装置は、前記検知手段の検出状態に応じて作動することを特徴とする吸込口体。
【請求項２】
請求項１に記載の吸込口体を有することを特徴とする電気掃除機。
【発明の詳細な説明】
【０００１】
【発明の属する技術分野】
この発明は、殺菌作用を有する殺菌光線を照射して塵埃中に含まれる細菌や微生物等が増殖することを防止する吸込口体及びこれを有する電気掃除機に関するものである。
【０００２】
【従来の技術】
従来の電気掃除機として、図６（ａ）に示すようなものが知られている（例えば、特許文献１〜３参照）。
【０００３】
この電気掃除機１は、掃除機本体２と、掃除機本体２に吸込風路３を介して連通する吸込口体４と、掃除機本体２を容易に移動させるための複数の車輪５とを備えている。
【０００４】
また、吸込口体４は、底面４Ａに開口する吸込室６と、吸込室６内に配設された光線照射装置７とを有している。この光線照射装置７は、殺菌作用を有する殺菌光線（例えば、Ｘ線、赤外線、紫外線等）を照射して、吸込室６内に吸い込まれる塵埃に含まれる細菌や微生物等の増殖を防止する装置である。
【０００５】
そして、光線照射装置７は、図６（ｂ）に示すように、複数の車輪５の全てが床面Ｍに接地している場合に通電する検知手段８に接続されており、床面Ｍから吸込口体４の底面４Ａが離れる方向に動いた場合では、複数の車輪５のいずれか一つが床面Ｍから離れて光線照射装置７への通電が検知手段８により遮断されていた。
【０００６】
そのため、一つでも床に接していない車輪５があると光線照射装置７から殺菌光線が照射されないようになっていた。
【０００７】
【特許文献１】
特開平１１−０５６６９１号公報（段落００２２〜段落００２７、図１、図３）
【特許文献２】
特開平９−１３５７９２号公報（段落００１０）
【特許文献３】
実開昭６０−１８７４５号公報
【０００８】
【発明が解決しようとする課題】
ところで、上述の電気掃除機１では、複数の車輪５の全てが床面Ｍに接地していれば光線照射装置７に通電されるので、吸込口体４が床面Ｍ上に停止している場合であっても光線照射装置７から殺菌光線が照射されることがあった。
【０００９】
そのため、床面Ｍの一部分に長時間にわたって殺菌光線を照射し続けてしまうことがあり、床面Ｍが劣化したり変色したりする問題が生じるおそれがあった。
【００１０】
この発明は、上記問題に鑑みてなされたもので、床面の一部分に長時間にわたって殺菌光線を照射することを防止し、床面の劣化や変色等を防止することができる吸込口体を提供することを目的としている。
【００１１】
【課題を解決するための手段】
上記課題を解決するために、この発明の吸込口体は、本体の底面に開口する吸込室と、殺菌作用を有する殺菌光線を照射する光線照射装置とが設けられた吸込口体であって、本体には、床面に対して相対的に移動したことを検知する検知手段が設けられ、光線照射装置は、検知手段の検出状態に応じて作動することを特徴としている。
【００１２】
この発明によれば、本体が床面に対して相対的に移動したことを検知する検知手段に応じて光線照射装置が作動するので、吸込室が床面上で停止している状態で光線照射装置が作動することを防止できる。
【００１３】
そのため、床面の一部分に長時間にわたって殺菌光線が照射することが防止され、床面の劣化や変色等を防止することが可能となる。
【００１４】
【発明の実施の形態】
以下、図面に基づいてこの発明の実施の形態を説明する。
【００１５】
図１に示す１０は電気掃除機であり、この電気掃除機１０は掃除機本体１１を備えている。そして、この掃除機本体１１の前部には可撓性を有する集塵ホース１２の一端が着脱自在に装着され、集塵ホース１２の他端には手元操作管１３が取り付けられている。さらに、手元操作管１３には延長管１４が着脱自在に装着され、延長管１４の先端には接続管１５を介して吸込口体２０が着脱自在に装着されている。
【００１６】
掃除機本体１１の内部には、図示しない集塵室に配設された紙パックフィルタ等の集塵袋１６が装着されており、集塵ホース１２、手元操作管１３、延長管１４、接続管１５をそれぞれ介して吸込口体２０の内部に連通している。また、この集塵袋１６の後方には、集塵室内に吸込負圧を作用させる電動送風機１７が配設されている。
【００１７】
また、手元操作管１３には操作パネル１８が設けられ、操作パネル１８には電動送風機１７を駆動させたり、吸込風量を調節したりするスイッチ等が設けられている。
【００１８】
吸込口体２０は、図２に示すように、下部ケース２１Ａと、この下部ケースの上側に結合される上部ケース２１Ｂ等とから構成される中空の本体ケース（本体）２１を有している。
【００１９】
本体ケース２１の内部には、吸込室２２と、吸込室２２の後方に位置すると共に左右に配置された光線室２３及び検知室２４とが後壁２２Ａによって区画形成されており、接続管１５は光線室２３及び検知室２４の間に延設されて吸込室２２内に連通している。
【００２０】
吸込室２２は、本体ケース２１の底面２１Ｃに開口した吸込開口２５が形成されると共に、接続管１５が接続する図示しない風路開口が後壁２２Ａに形成されている。また、この吸込室２２内には回転清掃体２６が吸込開口２５に臨む位置に回転自在に配設されている。
【００２１】
回転清掃体２６は、交互に配設されたブレード２６Ａ及びブラシ２６Ｂを有しており、本体ケース２１内に設けられたモータ２６Ｃ（図４参照）により回転駆動される。
【００２２】
光線室２３は、左右方向に延在された本体ケース２１の上面視右側に位置しており、本体ケース２１の底面２１Ｃに開口した光線開口２３Ａが形成されている。また、この光線室２３内には、光線照射装置３０が配設されている。
【００２３】
光線照射装置３０は、細菌や微生物等を死滅あるいは減少させる殺菌・滅菌作用を有する殺菌光線を照射する装置であり、発光部３１と、発光部３１を制御する制御回路部３２とを有している。なお、ここで、「殺菌光線」とは、紫外線、赤外線、Ｘ線、及びこれらの光線の前後の波長を有する光線等である。
【００２４】
そして、発光部３１の発光面３１Ａは光線開口２３Ａに臨んでおり、床面Ｍに向かって殺菌光線を照射できるようになっている。また、制御回路部３２は後述する検知手段４０を介して図示しない電源に接続されている。
【００２５】
検知室２４は、左右方向に延在された本体ケース２１の上面視左側に位置しており、図３に示すように、本体ケース２１の底面２１Ｃに開口した検知開口２４Ａが形成されている。また、この検知室２４内には、検知手段４０が配設されている。
【００２６】
検知手段４０はいわゆるフォトセンサーであり、検知開口２４Ａから一部が突出して床面Ｍに接地する回転軸部４１と、回転軸部４１の端面に向かって光を発する送光部４２と、送光部４２から発せられた光を受ける受光部４３とを有している（図４参照）。
【００２７】
ここで、回転軸部４１は、回転自在に保持されると共に、軸方向に貫通した多数のスリットが周縁部に設けられている。そして、送光部４２からこのスリットに向かって光が発せられ、回転軸部４１を挟んで反対側に位置する受光部４３によって光が受信される。さらに、受光部４３はＣＰＵ４４に接続されており、受光部４３で受信された光を検出している。
【００２８】
そして、回転軸部４１が回転した場合、回転軸部４１に設けられた多数のスリットによって光が定期的に遮断されて一定波長のパルスが検出される。
【００２９】
一方、回転軸部４１が回転していない場合、光は回転軸部４１により遮られ続けるか、スリットを通過して受光部４３に受信され続けられるので、一定波長のパルスは検出されない。
【００３０】
ＣＰＵ４４は、図４に示すように、光線照射装置３０の制御回路部３２に接続され、一定波長のパルスを検出した場合に図示しない電源と制御回路部３２とを通電させて発光部３１から殺菌光線を照射させる。
【００３１】
次に、この電気掃除機１０の作用について説明する。
【００３２】
この電気掃除機１０を使用するには、まず、手元操作管１３の操作パネル１８に設けられたスイッチを操作して電動送風機１７を駆動させ、集塵室内に吸込負圧を作用させる。
【００３３】
集塵室内に作用した吸込負圧は、集塵袋１６、集塵ホース１２、手元操作管１３、延長管１４、接続管１５を順に介して吸込口体２０内の吸込室２２内に作用する。
【００３４】
そして、このように吸込室２２内に吸込負圧が作用した状態で吸込口体２０を移動させると、本体ケース２１が床面Ｍに対して相対的に移動しながら床面Ｍ上の塵埃を吸い込んでいき、塵埃を集塵袋１６内に捕集する。
【００３５】
また、本体ケース２１が床面Ｍに対して相対的に移動すると、検知開口２４Ａから一部が突出した回転軸部４１が床面Ｍとの摩擦力によって回転する。
【００３６】
これにより、上述したように送光部４２から発せられた光は回転軸部４１のスリットにより定期的に遮断されて、一定波長のパルスが検出される。そして、一定波長のパルスが検出されたことにより、ＣＰＵ４４が図示しない電源と制御回路部３２とを通電させて発光部３１から殺菌光線を照射させる。
【００３７】
発光部３１から照射された殺菌光線は、発光面３１Ａから光線開口２３Ａを介して床面Ｍに照射され、床面Ｍ上の細菌や微生物等を死滅あるいは減少させる。
【００３８】
このように、本体ケース２１が床面Ｍに対して相対的に移動したことを検知する検知手段４０に応じて光線照射装置３０が作動するので、本体ケース２１が床面Ｍ上で停止している状態で光線照射装置３０が作動することを防止できる。
【００３９】
そして、殺菌光線は床面Ｍの一部分に長時間照射され続けることがなくなり、床面Ｍの一部分に長時間にわたって殺菌光線が照射することが防止され、床面Ｍの劣化や変色等を防止することが可能となる。
【００４０】
また、本体ケース２１が引っくり返る等して底面２１Ｃが露出したとしても、光線照射装置３０は作動せず殺菌光線が照射されることがないので、不要な殺菌光線が外部に漏洩することを防止できる。
【００４１】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００４２】
例えば、図５に示すように、吸込室２２と光線室２３とを区画する後壁２２Ａに光線開口２３Ａ´を形成し、この光線開口２３Ａ´に光線照射装置３０の発光部３１の発光面３１Ａを臨ませてもよい。
【００４３】
この場合、発光部３１より発光した殺菌光線は吸込室２２内に照射され、回転ブラシ２６や吸込室２２内の細菌や微生物等を死滅あるいは減少させることができる。
【００４４】
また、この場合であっても、本体ケース２１が床面Ｍに対して相対的に移動している際に殺菌光線が照射されるので、回転ブラシ２６の一部分に長時間にわたって殺菌光線が照射されることがなくなり劣化等の発生を防止できる。
【００４５】
さらに、吸込開口２５から漏れ出る殺菌光線が床面Ｍの一部分に長時間にわたって照射されることも防止でき、床面Ｍの劣化や変色等を防止することが可能となる。
【００４６】
【発明の効果】
この発明によれば、床面の一部分に長時間にわたって殺菌光線を照射することを防止し、床面の劣化や変色等を防止することができる吸込口体を提供することができる。
【図面の簡単な説明】
【図１】この発明に係る電気掃除機の全体斜視図である。
【図２】図１におけるＡ−Ａ断面図である。
【図３】図１におけるＢ−Ｂ断面図である。
【図４】光線照射装置から殺菌光線を発光させるための制御回路を模式的に示したブロック図である。
【図５】この発明に係る吸込口体の第二実施例を示す一部破断断面図である。
【図６】（ａ）従来の電気掃除機を示す断面図である。
（ｂ）従来の電気掃除機における殺菌光線を発光させるための構造を示す説明図である。
【符号の説明】
２０        吸込口体
２１        本体（本体ケース）
２１Ｃ      底面
３０        光線照射装置
４０        検知手段
Ｍ          床面
【図１】
2004344335.tif 000003
【図２】
2004344335.tif 000004
【図３】
2004344335.tif 000005
【図４】
2004344335.tif 000006
【図５】
2004344335.tif 000007
【図６】
2004344335.tif 000008